(57)【特許請求の範囲】
【請求項１】
運転時に循環走行路を通過し、この循環走行路の枚葉紙搬送区域で枚葉紙案内面に沿って案内されるくわえづめブリッジを備えており、このくわえづめブリッジは、くわえづめ台およびこれと協働する、前記くわえづめブリッジによって運ばれるべき各枚葉紙をつかむためのくわえづめフィンガと、前記くわえづめ台を支持する第１のブリッジ部分型材と、これから間隔をおいた第２のブリッジ部分型材とを含んでいる、枚葉紙処理機械の枚葉紙コンベヤにおいて、
枚葉紙（３）を運んでいる間、第１のブリッジ部分型材（９．３）が第２のブリッジ部分型材（９．４）よりも前記枚葉紙案内面（１７）に近い、前記ブリッジ部分型材（９．３，９．４）の相互の姿勢を有し、前記くわえづめブリッジ（９）が、Ｃ型材の支持型材によって構成されており、主要な領域にわたって貫通部を備えるウェブを有しており、その断面は循環走行路と実質的に垂直方向を向いていることを特徴とする、枚葉紙処理機械の枚葉紙コンベヤ。
【請求項２】
前記ブリッジ部分型材（９．３，９．４）がそれぞれ実質的に循環走行路の方向を向いた断面を有している、請求項１に記載の枚葉紙コンベヤ。
【請求項３】
前記くわえづめブリッジが、フランジを有する支持型材の形態で構成されており、そのフランジは、第１および第２のブリッジ部分型材（９．３および９．４）を形成し、局所的に相互に連結されている、請求項１に記載の枚葉紙コンベヤ。
【請求項４】
前記くわえづめブリッジ（９）の周囲流および貫流が生じたときに乱流ゾーンの発生を防ぐ、前記くわえづめブリッジ（９）の外装（９．６．１，９．６．２，９．６．３，９．６．４）を備えている、請求項１に記載の枚葉紙コンベヤ。
【請求項５】
前記くわえづめブリッジ（９）が、前記くわえづめフィンガ（９．１）を支持するくわえづめ軸（９．５）を含んでおり、前記くわえづめ軸（９．５）は、前記くわえづめブリッジ（９）の、循環運動方向に見て下流側を向いている側に設けられている、請求項１から４までの少なくとも１項に記載の枚葉紙コンベヤ。
【請求項６】
輪転印刷機において、請求項１から５までの少なくとも１項に記載の枚葉紙コンベヤを備えていることを特徴とする輪転印刷機。
【発明の詳細な説明】
【０００１】
【発明の属する技術分野】
本発明は、運転時に循環走行路を通過し、この循環走行路の枚葉紙搬送区域で枚葉紙案内面に沿って案内されるくわえづめブリッジを備えており、このくわえづめブリッジは、くわえづめ台およびこれと協働する、くわえづめブリッジによって運ばれるべき各枚葉紙をつかむためのくわえづめフィンガと、くわえづめ台を支持する第１のブリッジ部分型材と、これから間隔をおいた第２のブリッジ部分型材とを含んでいる、枚葉紙処理機械の枚葉紙コンベヤに関する。さらに、本発明は、このような種類の枚葉紙コンベヤを備える輪転印刷機に関する。
【０００２】
【従来の技術】
循環運動をするくわえづめブリッジを使って作動する、印刷された枚葉紙を枚葉紙案内面に沿って運ぶための枚葉紙コンベヤは、印刷機で、そのコンセプトに応じて、１つの印刷ユニットから次の印刷ユニットまたはその他の種類の処理部、たとえばニス引きユニットへの枚葉紙搬送に用いられ、および／または最後の処理部からパイル部への枚葉紙搬送に用いられる。いずれの場合でも、枚葉紙に塗布された印刷画像に傷がつくのを防ぐために、枚葉紙搬送区間の周辺に配置された機械コンポーネント、たとえば横木、乾燥機、粉かけ装置などと、枚葉紙が接触しないための前提条件として、静かな枚葉紙走行が求められる。
【０００３】
そのために講じられる対策の１つは、たとえば、枚葉紙案内面と、その上を運ばれていく枚葉紙との間に、空気力学上のパラドックスの原理に基づいて作用するエアクッションを発生させることである。このような種類のエアクッションは、枚葉紙を特にその坪量に応じて、枚葉紙案内面から一定の浮遊高さに保つことができる。
【０００４】
【特許文献１】
ドイツ特許出願公開明細書１９８１０７１８Ａ１
【０００５】
【発明が解決しようとする課題】
しかし、エアクッションによって生みだすことが可能な浮遊状態は、たとえば枚葉紙の坪量の局所的な変化、あるいは局所的に変わる変化のようにエアクッションに対して作用する、枚葉紙への影響によって妨げられる。このような種類の影響は、特に、運ばれている過程で枚葉紙の両側で生じる流れ状況から発生する可能性がある。
【０００６】
従来技術より、前述した流れ状況に介入することが可能な方策がすでに公知である。しかしながらこの場合、特に、くわえづめブリッジが、湾曲した循環走行路の区域と、その後に続く直線区域とを通過する場合にとりわけ必要となる、くわえづめブリッジの十分な曲げ強さにも配慮しなくてはならない。
【０００７】
これに関連する流れ状況と剛性とを勘案した妥協案が、たとえば特許文献１ドイツ特許出願公開明細書１９８１０７１８Ａ１から公知となっている、くわえづめブリッジの構成で見出されている。同明細書の図２に基づいて構成されたくわえづめブリッジは、くわえづめ台を支持する第１のブリッジ部分型材と、循環運動方向で見て第１のブリッジ部分型材よりも下流側に配置された第２のブリッジ部分型材とを含んでいる。第１のブリッジ部分型材の横断面は、枚葉紙案内面に対して垂直に測ったときのくわえづめブリッジの高さを規定し、上に述べた曲げ強さの大半を生みだしている。第１のブリッジ部分型材、厳密に言えば、第１のブリッジ部分型材に関して循環運動方向に見て下流側に配置されたくわえづめ軸と、第２のブリッジ部分型材との間には、枚葉紙案内面の上で摺動するスポイラーが配置されており、このスポイラーの横断面は、第１のブリッジ部分型材の、枚葉紙案内面と反対を向いている方の端部に向かって延びている。それにより、流れ状況に関して、一方では、枚葉紙案内面の上を運ばれていく枚葉紙の追加の下側流動を防止することができ、この追加の下側流動とは、枚葉紙は前述したエアクッションを生成するためにすでに枚葉紙案内面から、すなわち枚葉紙案内面に配置されたノズルから、流れが当っているという意味で理解されるべきものである。他方では、枚葉紙案内面を通過するときに、くわえづめブリッジによって押しのけられる実質的にすべての空気が、循環運動方向に見て下方に傾いた第２のブリッジ部分型材の横断面によって、および、第２のブリッジ部分型材とスポイラとの間に形成された通路によって、くわえづめブリッジの、枚葉紙案内面と反対を向いている方の上面へと押しやられるので、それによって生じる流れが、枚葉紙案内面と反対を向いている方の各枚葉紙の面に直接的に影響することが防止される。
【０００８】
くわえづめブリッジのこのような種類の構成では、枚葉紙案内面の上でスポイラが摺動することによって引き起こされる、ある程度の磨耗に目をつぶらなくてはならないことが明白である。
【０００９】
以上の従来技術を前提とする本発明の目的は、磨耗の少ない作動で、できるだけ静かな枚葉紙走行が実現される、冒頭に述べた種類の枚葉紙コンベヤを提供することである。
【００１０】
【課題を解決するための手段】
この目的は、枚葉紙を運んでいる間、第１のブリッジ部分型材が第２のブリッジ部分型材よりも枚葉紙案内面に近い、ブリッジ部分型材の相互の姿勢を有し、くわえづめブリッジが、Ｃ型材の支持型材によって構成されており、主要な領域にわたって貫通部を備えるウェブを有しており、その断面は循環走行路と実質的に垂直方向を向いていることによって達成される。
【００１１】
このような構成により、一方では、くわえづめブリッジの曲げ強さに関して、また他方では、枚葉紙案内面の上で枚葉紙を運ぶときに引き起こされる流れ状況に関して、くわえづめブリッジを最適化できるように構成するための前提条件が整う。
【００１２】
【発明の実施の形態】
次に、本発明の実施の形態について図面を参照して説明する。
【００１３】
各図面の中では、対応する部分には同じ符号が付されており、図３から図８では、循環運動方向がそれぞれ左方に向かって示されている。
【００１４】
冒頭に述べたように、循環運動をするくわえづめブリッジを備える枚葉紙コンベヤは、特に印刷された枚葉紙を、輪転印刷機の最後の処理部からパイル部へと搬送するために用いられる。
【００１５】
図１には、このような実施形態が概略的に示されている。この図では、最後の処理部の後に排紙装置１が続いている。このような処理部は、印刷ユニット、または例えばニス引きユニットのような後処理ユニットであってよい。本例では、この最後の処理部は、圧胴２．１を有する、オフセット印刷方法で作動する印刷ユニット２である。この圧胴２．１は、枚葉紙３を、回転方向矢印５によって示された処理方向に、圧胴２．１とこの圧胴２．１と協働するゴムブランケット胴２．２との間の印刷用間隙を通して案内し、そして続いてこの枚葉紙３を、圧胴２．１に配置された、各枚葉紙３を枚葉紙３の先行端のくわえしろで把持するために備えられたくわえづめを開いてチェーン搬送装置４に渡す。チェーン搬送装置４は、排紙装置１の各側壁に沿って作動時に循環運動する２つの無端の搬送チェーン６を含んでいる。各搬送チェーン６は、回転軸が互いに一直線に並べられた、同期して駆動される２つの駆動スプロケットホイール７のそれぞれ１つの巻き付けられており、また、本例では駆動スプロケットホイール７の向かい側に、処理方向に関して下流側にあるそれぞれ１つのガイドスプロケットホイール８に沿って案内される。２つの搬送チェーン６の間には、これらによって支持されて運ばれ、搬送チェーン６が通ることによって規定される循環走行路と、圧胴２．１に配置されたくわえづめの間の間隙を通り抜け、そしてこの際に各枚葉紙３を、圧胴２．１に配置されたくわえづめが開く直前に、この枚葉紙３の先行端の前述のくわえしろをくわえづめフィンガ９．１と、これに付属しくわえづめブリッジ９に配置されたくわえづめ台９．２との間で把持して受け取り、この枚葉紙３をくわえづめブリッジ９の循環走行路の一区域で枚葉紙案内装置１０に構成された枚葉紙案内面１７を越えて枚葉紙制動装置１１に搬送し、そしてその場所で枚葉紙３を枚葉紙制動装置１１に受け渡すために開くくわえづめフィンガ９．１を備えるくわえづめブリッジ９が延びている。この枚葉紙制動装置１１は、枚葉紙を処理速度に比べて遅い排紙速度にし、そして、これらの枚葉紙をこの排紙速度に達した後に枚葉紙制動部の側に放させ、この結果、すでに減速された各枚葉紙３はパイル部１４で最終的に前縁ストッパ１２に当たり、そしてこの前縁ストッパ１２とそれに対向する後縁ストッパ１３で揃えられて、先行の枚葉紙３および／または後続の枚葉紙３とともに、パイル１４．１が増えた分だけ昇降ユニット１５によって降下可能なパイル１４．１を形成する。この昇降ユニット１５については、図１ではパイル１４．１を支持する紙載せ台１５．１と、この紙載せ台１５．１を支持する、ここでには図示しない昇降ユニットモータによって駆動される一点鎖線で表された昇降チェーン１５．２のみが図示されている。
【００１６】
搬送チェーン６は、一方の駆動スプロケットホイール７と他方のガイドスプロケットホイール８との間の経路に沿ってチェーン案内レールによって案内され、したがってこのチェーン案内レールはスプロケット間チェーン部分のチェーン走行路を規定している。本例では、枚葉紙３は、図１中では下側のスプロケット間チェーン部分によって搬送される。チェーン走行路の、スプロケット間チェーン部分が通る部分は、それに向き合って枚葉紙案内装置１０に形成された枚葉紙案内面１７に沿って延びている。枚葉紙案内面１７と、この枚葉紙案内面１７上を案内されていく各枚葉紙３との間には、作動時に支持搬送用エアクッションが形成されることが好ましい。さらに、枚葉紙案内装置１０は枚葉紙案内面１７に連通する、図１では、全体を代表して、概略的に接続管１８の形態のみで図示されている吹付け空気ノズルを備えている。
【００１７】
印刷された枚葉紙３がパイル１４．１中で互いにくっつき合うのを防止するために、駆動スプロケットホイール７から枚葉紙制動部１１までの、枚葉紙３の経路上には乾燥機１９と粉かけ装置２０が備えられている。
【００１８】
枚葉紙案内面１７が乾燥機１９によって過度に加熱されるのを防止するために、枚葉紙案内装置１０には、図１に、枚葉紙案内面１７に付属した冷却剤容器２３に接続された入口管２１と出口管２２によって概略的に示された冷却剤循環路が組み込まれている。
【００１９】
くわえづめブリッジの第１の実施形態が、くわえづめフィンガ９．１と、これを支持するくわえづめ軸とを省略したうえで、図２にはくわえづめブリッジ９の斜視図、図３には横断面図としてそれぞれ示されている。これらの図から、くわえづめブリッジ９の基本的な構造が明らかであり、この構造では、くわえづめブリッジ９は、くわえづめ台９．２を支持する第１のブリッジ部分型材９．３と、第２のブリッジ部分型材９．４とを含んでおり、第１のブリッジ部分型材９．３は、枚葉紙３を運んでいる間、枚葉紙案内面のほうを向いており、第２のブリッジ部分型材９．４は、第１のブリッジ部分型材９．３から間隔をおいて、枚葉紙案内面１７と反対のほうを向いている（図１も参照）。
【００２０】
このくわえづめブリッジの基本的な構造は、一方では、要求される曲げ強さの保証を可能にし、また他方では、枚葉紙３の下面と上面で実質的に同じものとして流れ状況が生じるという意味で、静かな枚葉紙走行の観点から好都合な流れ状況をつくることを可能にする。その主な理由は、作動時に発生する流れが比較的妨害されないことにある。なぜならこのような妨害が、実質的に、ブリッジ部分型材が分離していることによってしか引き起こされないからである。
【００２１】
有利な実施形態では、ブリッジ部分型材９．３および９．４は、実質的に循環走行路の方向を向いた断面をそれぞれ有している。このことは、流れの妨げがそれによって特に少なくなるという意味で、前述した流れの形成に好都合に作用する。
【００２２】
このような種類の実施形態は、特に、くわえづめブリッジが、ベルトを有する支持型材の形態で構成されており、そのベルトが第１および第２のブリッジ部分型材を形成し、局所的に相互に連結されている場合に得られる。これに適した支持型材としては、特に、Ｕ字型もしくはＣ字型の断面、Ｓ字型もしくはＺ字型の断面、および二重のＴ字型の断面をもつ支持型材が考慮の対象となり、Ｓ字型の断面をもつくわえづめブリッジと、Ｚ字型の断面をもつくわえづめブリッジは、実質的に、そのベルトが循環走行路を通る進行方向に関するベルトの向きによって区別される。支持型材は、対応する型材ウェブが実質的に循環走行路に対して垂直方向を向くように、搬送チェーン６にピボット連結され、型材ウェブは、図２に明らかに見ることができるように、対応する支持型材のベルトの間の局所的な連結部しか残らないように、その主要な領域にわたって貫通部を備えている。
【００２３】
さらに、このような選択された局所的な連結部（そのうち、それぞれ１つがブリッジ部分型材９．３および９．４の各端部に設けられるのが好ましい）は、図２と図３を比べて見るともっともよくわかるように、くわえづめフィンガ９．１を支持するくわえづめ軸９．５を支持するように構成されている。
【００２４】
図１では、チェーンコンベヤ４の形態の枚葉紙コンベヤは、一例として、基本的な構成が図２と図３に示されたくわえづめブリッジ９を備えている。それによれば、各くわえづめブリッジ９は、ベルトを有する支持型材によって構成されており、そのベルトが、くわえづめ台９．２を支持する第１のブリッジ部分型材９．３と、第２のブリッジ部分型材９．４とを形成している。このベルトはＵ字型の型材の脚部をなしており、これらの脚部は、本例では異なる長さを有しているものの、それ以外の点では、実質的に循環走行路の方向を向いた断面を有している。
【００２５】
図４に断面図で示すくわえづめブリッジの実施形態でも、図２と図３に対応する、ブリッジ部分型材９．３および９．４と、これらのブリッジ部分型材の局所的な連結部を含む支持型材とが前提となっている。しかしながら、さらにこれに加えて、くわえづめブリッジの支持型材の周囲流や貫流が生じたときに乱流ゾーンができるのを防ぐ外装が設けられている。この外装は、図４では単に一例として性能面からのみ図示されており、くわえづめブリッジに沿って延びるとともに局所的にこれと連結され、できるだけ流れに好都合な断面を有している案内型材９．６．１，９．６．２，９．６．３，９．６．４（特に案内板）で構成されている。
【００２６】
このような種類の外装は、特に、くわえづめブリッジを構成するときに、標準化された支持型材を使うことを可能にする。
【００３４】
図示した実施形態にいろいろな違いはあるが、これらの実施形態に共通しているのは、くわえづめ軸９．５が、くわえづめブリッジの、循環運動方向に関して下流側を向いている側に付属していることである。このことは、乱流ゾーンを減らすための上述した方策に加えて、くわえづめ軸によって引き起こされる流れの乱れが、せいぜいのところ、運ばれている枚葉紙の非常に短い先行領域でしか作用せず、その点で、くわえづめ台９．２とくわえづめフィンガ９．１の間での枚葉紙３の挟み込みを安定させる効果が、静かな枚葉紙走行の妨害を防ぐという意味で好都合に作用する。
【図面の簡単な説明】
【図１】枚葉紙を処理する輪転印刷機の、排紙装置を含んでいる区域を示す概略図である。
【図２】くわえづめフィンガと、これを支持するくわえづめ軸とを省いて、くわえづめブリッジを示した斜視図である。
【図３】くわえづめ軸を一緒に図示しながら図２のくわえづめブリッジを示す横断面図である。
【図４】くわえづめブリッジの断面図として示したくわえづめブリッジの構成の原理図であり、くわえづめフィンガは図示していない。
【符号の説明】
１ 排紙装置
２ 印刷ユニット
２．１ 圧胴
３ 枚葉紙
４ チェーン搬送装置
５ 回転方向矢印
６ 搬送チェーン
７ 駆動スプロケットホイール
８ ガイドスプロケットホイール
９ くわえづめブリッジ
９．１ くわえづめフィンガ
９．２ くわえづめ台
９．３ 第１のブリッジ部分型材
９．４ 第２のブリッジ部分型材
９．５ くわえづめ軸
９．６．１，９．６．２，９．６．３，９．６．４ 案内型材
１０ 枚葉紙案内装置
１１ 枚葉紙制動装置
１２ 前縁ストッパ
１３ 後縁ストッパ
１４ パイル部
１４．１ パイル
１５ 昇降ユニット
１５．１ 紙載せ台
１５．２ 昇降チェーン
１７ 枚葉紙案内面
１８ 接続管
１９ 乾燥機
２０ 粉かけ装置
２１ 入口管
２２ 出口管
２３ 冷却剤容器
【図１】
0004279574.tif 000002
【図２】
0004279574.tif 000003
【図３】
0004279574.tif 000004
【図４】
0004279574.tif 000005